(57)【要約】【課題】  設置時および使用時に必要な空間が狭くてすむ画像読取記録装置を提供する。【解決手段】  原稿を押圧する開閉可能な圧板２を上部に有する読取部１と、前記圧板の上方に配置され記録紙に画像を記録する記録部３とを備え、前記記録部は一方の側から記録紙を給紙し、他方の側から排紙するほぼ水平の通紙パスを有し、該通紙パスの方向が前記読取部の長手方向と直交する方向になるように当該記録部を配置した画像読取記録装置。【選択図】        図１ａ
2006135736.tif 000002
【特許請求の範囲】
【請求項１】
原稿を押圧する開閉可能な圧板を上部に有する読取部と、前記圧板の上方に配置され記録紙に画像を記録する記録部とを備え、前記記録部は一方の側から記録紙を給紙し、他方の側から排紙するほぼ水平の通紙パスを有し、該通紙パスの方向が前記読取部の長手方向と直交する方向になるように当該記録部を配置したことを特徴とする画像読取記録装置。
【請求項２】
原稿を押圧する開閉可能な圧板を上部に有する読取部と、前記圧板の上方に配置され記録紙に画像を記録する記録部とを備え、前記記録部は一方の側から記録紙を給紙し、他方の側から排紙するほぼ水平の通紙パスを有し、該通紙パスの方向が前記読取部の長手方向と直交する方向になるように当該記録部を配置した画像読取記録装置であって、
前記記録部を前記読取部の平面への投影面積の範囲内で上下方向に平行移動可能に支持したことを特徴とする画像読取記録装置。
【請求項３】
請求項２に記載の画像読取記録装置において、
前記読取部と前記記録部がアーム部材からなるリンク機構で連結されていることを特徴とする画像読取記録装置。
【請求項４】
請求項２に記載の画像読取記録装置において、
前記圧板の開閉動作に連動して前記記録部が移動することを特徴とする画像読取記録装置。
【請求項５】
請求項２に記載の画像読取記録装置において、
適宜の手段で前記記録部を上方向に付勢しておき、前記圧板が閉まっている場合は該付勢をロックし、圧板がある程度まで持ち上げられたときには該ロックが外れ、該記録部が上方向に持ち上げられるように構成したことを特徴とする画像読取記録装置。
【請求項６】
請求項２に記載の画像読取記録装置において、
前記記録部は、前記圧板に転がり接触する部分を有し、前記圧板の開閉動作に連動して当該記録部が移動することを特徴とする画像読取記録装置。
【請求項７】
請求項２に記載の画像読取記録装置において、
前記圧板の開閉を検知する検知手段と、前記検知手段が圧板の回動を検知したとき前記記録部を前記圧板と干渉しない位置に移動させる移動手段とを備えたことを特徴とする画像読取記録装置。
【請求項８】
請求項２ないし請求項７のいずれかに記載の画像読取記録装置において、
前記記録部の高さ方向の移動領域は、圧板の回動高さの範囲内であることを特徴とする画像読取記録装置。
【請求項９】
原稿を押圧する開閉可能な圧板を上部に有する読取部と、前記圧板の上方に配置され記録紙に画像を記録する記録部とを備え、前記記録部は一方の側から記録紙を給紙し、他方の側から排紙するほぼ水平の通紙パスを有し、該通紙パスの方向が前記読取部の長手方向と直交する方向になるように当該記録部を配置した画像読取記録装置であって、
前記圧板は、当該圧板が閉じられていたときと平行の状態を保ったまま開閉するよう構成されていることを特徴とする画像読取記録装置。
【請求項１０】
請求項９に記載の画像読取記録装置において、
前記読取部と前記圧板がアーム部材からなるリンク機構で連結されていることを特徴とする画像読取記録装置。
【請求項１１】
請求項１０に記載の画像読取記録装置において、
前記リンク機構は左右それぞれ少なくとも２本の部材により構成されており、手前側の部材に若干の遊びを設けることにより前記圧板の手前側の開閉を大きくできることを特徴とする画像読取記録装置。
【請求項１２】
請求項９に記載の画像読取記録装置において、
前記記録部が前記圧板に固定され、圧板が閉じたときに記録部の重さにより圧板を押圧することを特徴とした画像読取記録装置。
【請求項１３】
請求項１ないし請求項１２のいずれかに記載の画像読取記録装置において、
前記圧板を前記記録部の排紙トレイに兼用したことを特徴とする画像読取記録装置。
【請求項１４】
請求項１ないし請求項１２のいずれかに記載の画像読取記録装置において、
操作部を前記記録部の上面に配置したことを特徴とする画像読取記録装置。
【請求項１５】
請求項１ないし請求項１２のいずれかに記載の画像読取記録装置において、
ハンドセットを前記読取部上部の非可動部に配置したことを特徴とする画像読取記録装置。
【請求項１６】
請求項１ないし請求項１２のいずれかに記載の画像読取記録装置において、
電気基板を前記読取部の非可動部内部に装着したことを特徴とする画像読取記録装置。
【請求項１７】
請求項１ないし請求項１６のいずれかに記載の画像読取記録装置において、
前記記録部にインクジェット方式の記録部を用いたことを特徴とする画像読取記録装置。
【発明の詳細な説明】
【技術分野】
【０００１】
本発明は、画像読取記録装置に関し、特にそのレイアウトに関するものである。
【背景技術】
【０００２】
画像の読取・印刷機能を備えたファクシミリやプリンタ・スキャナ複合機になどおいて、近年フラットベッド型の画像読取スキャナを装備したもの（特許文献１）が増加している。
【０００３】
フラットベッド型読取記録装置は、コピーなどの用途を重視しているため、読取装置、及び記録装置を本体にレイアウトするにあたっては、奥行きや幅を小さくしたい場合には従来は読取装置をユーザーに近くなるように、また圧板を容易に開閉できるように記録装置の上に配置することが多い。また、高さを抑えたい場合には読取部及び記録部を互いに横に並べた形に配置することもある。
【特許文献１】特開２００３−２８５９６４号公報
【発明の開示】
【発明が解決しようとする課題】
【０００４】
しかし、読取部を記録部の上に配置した場合、記録部における通紙不良ジャムの処理や記録用インクなどの消耗品の交換などといったメンテナンス作業を行う際、作業性をよくするために記録部の上にある読取部を大きく上に移動させられるように構成しなければならない。このために、通常の使用で頻繁には発生しないような、“読取部を上に移動させた状態”での高さが使用に必要な高さとなり、非常に空間利用効率が悪い。
【０００５】
また、原稿の読み取りを行っているときに読取部を移動させると、その際の振動が読み取った画像に影響したり、原稿がずれてしまったりすることがあるため、読取部を移動させているときには読み取りを行うことはできない。仮に読取動作を行うことができるように設定しても、思わぬ画像の乱れが生じ、満足な画像が得られない可能性が大きい。このため、この構成では読取動作中には記録部にアクセスできない。
【０００６】
また、小型機を謳った読取記録装置においては、小型化された記録部を配置することが考えられるが、紙の大きさに大きく左右される読取部の大きさは一度に読み取れる紙の大きさのスペックダウンを行わない限り小さくすることは困難なため、設置面積としては読取部の大きさに左右される。また、下部に配置された記録部よりも、上部に配置された読取部が大きくなることとなり、装置としての安定性に欠ける。安定させるために足などを設けると記録部を小型化した効果が希薄になってしまう。
【０００７】
また、厚み以外の２方向が原稿の大きさに左右されるフラットベッド型スキャナを上部に持ち上げて記録部にアクセスするために、蝶番型の連結機構で記録部と読取部を連結すると回転モーメントが大きくなり、開閉スピードを抑制するためのダンパ機構を構成すると、ダンパ機構自体が大きくなり、また、ダンパとその周辺の強度をアップするため、コストも高くなる可能性が高い。
【０００８】
また、前述のとおり、記録部と読取部を横に並べた構成にすれば高さを抑えることは可能であるが、設置面積が非常に大きくなるため、卓上で使う、などの設置場所の選択肢が少なくなり、高さを抑えた効果を生かせる使用条件は限られてしまう。
【０００９】
また、記録部は記録紙の少なくとも短手方向の長さに、フラットベッド型読取部は原稿の面積にそれぞれ大きさが左右されてしまうため、記録部を読取部の圧板の上に構成しようとすると、最小限まで小さくすると原稿の大きさ＋枠体の大きさ程度である圧板の上に、少なくとも記録紙の幅＋駆動系の幅や記録機構などの幅が必要になる記録部を配置しなければならず、ファクシミリなどハンドセットや多数の操作ボタンがユーザーから操作しやすい部分に配置しなければならない要素の多い機器では全体的な構成が非常に困難であった。
【００１０】
さらに、本体と圧板を単純に蝶番などで連結し、記録部と圧板を一体に構成した場合、圧板を開けた状態では記録部が傾くことになり、記録部に印字させている時に圧板を開閉すると、記録紙の搬送方向と重力の方向の関係が変化し、画像に悪影響を及ぼしやすい。また、記録部がインクジェット方式などで、液体の廃インクなどを貯蔵する機構を有している場合、記録部の傾斜時にも液漏れなどを起こさないような機構を設ける必要があり、コストアップにつながる。またこの上に操作部やハンドセットを配置すると、圧板の開閉時にはこれらの要素にアクセスしにくくなってしまう。
【００１１】
本発明は、このような状況のもとでなされたもので、設置時および使用時に必要な空間が狭くてすむ画像読取記録装置を提供することを課題とするものである。
【課題を解決するための手段】
【００１２】
前記課題を解決するため、本発明では、画像読取記録装置を次の（１）のとおりに構成する。
【００１３】
（１）原稿を押圧する開閉可能な圧板を上部に有する読取部と、前記圧板の上方に配置され記録紙に画像を記録する記録部とを備え、前記記録部は一方の側から記録紙を給紙し、他方の側から排紙するほぼ水平の通紙パスを有し、該通紙パスの方向が前記読取部の長手方向と直交する方向になるように当該記録部を配置した画像読取記録装置。
【発明の効果】
【００１４】
本発明によれば、設置時および使用時に必要な空間が狭くてすむ画像読取記録装置を提供することができる。
【発明を実施するための最良の形態】
【００１５】
以下本発明を実施するための最良の形態を、実施例により詳しく説明する。
なお、以下の実施例に記載されている構成部品の寸法、材質、形状、それらの相対配置などは、本発明が適用される装置の構成や各種条件により適宜変更されるべきものであり、特に特定的な記載がない限りは、本発明の範囲をそれらのみに限定する趣旨のものではない。
【実施例１】
【００１６】
図１ａは、実施例１である“読取記録装置を有するファクシミリ装置”の斜視図である。
【００１７】
読取部の本体１と蝶番状のヒンジで連結された圧板２の上に記録部３があり、記録部３と読取部本体１がリンク機構４で連結されている。このリンク機構４により、図１ｂに示すように記録部３は読取部本体１と常に平行な状態で移動することが可能になっている。記録中に記録部３を上下動させたとき、重力に対する記録紙のセット角度、搬送角度などは変化しないため、これらの角度の変化に起因する画像の劣化は防ぐことができる。
【００１８】
表示部５とボタン群６を含めた操作部７はユーザーからアクセスしやすい装置上部表面にあたる記録部３の上に配置されている。操作部７をその上部に構成されている記録部３が、前記リンク機構４によって読取部本体１と常に平行な状態で連結されているため、操作部７も常に同じ角度を保たれている。このため、操作部７の初期角度を操作しやすい角度に設定して構成すれば常に操作しやすい角度を保つことができる。
【００１９】
ハンドセット８は可動部である圧板２の上ではなく、読取部本体１側にセットされるよう構成されている。圧板２は図１ｂのように開くことができる。圧板２を開いたときにハンドセット８は可動部の上にないので開閉時の傾斜や振動などで意図しないときに本体から外れたりしにくい構造になっている。
【００２０】
図２は従来例及び実施例を右側面から見た図で、２ａ、２ｄはそれぞれ従来例と実施例１の圧板を閉じた状態、２ｂ、２ｅは開いた状態である。２ｄ、２ｅのように、記録部３は読取部１の上部からの投影面の範囲内で移動する。また、圧板２を最大限開いた状態で、記録部３は圧板２の高さよりも下にあるので、設置場所として、圧板２の最大回動高さと、鉛直からの投影面積さえ確保してあれば、記録部３の可動範囲はその中に収まっているため、圧板２の開閉動作が可能になる。これにより従来、圧板の開閉には記録部＋読取部＋圧板開閉高さが必要であった設置高さに比べて、同じ設置面積を保ちながら読取部＋圧板開閉高さのみの設置高さしか必要としなくなるため、設置高さの抑制が可能になる。
【００２１】
また、図２において、２ｃ、２ｆはそれぞれ従来例、実施例１においてインクなどの消耗品の交換、記録紙のジャム処理のために記録部を開放した状態である。従来例である２ｃのように読取部が記録部の上にある場合には読取部を上に移動させる必要があるので、読取部を開放するためには、記録部＋読取部＋読取部の移動高さが必要になる。これに比べて本実施例１である２ｆのように記録部が読取部の上にある場合の記録部の開閉に必要な高さは、読取部＋記録部＋記録部の蓋の開閉高さとなるので、読取部自体よりも記録部の蓋を小さく構成できる場合には設置高さを抑えることができる。
【００２２】
また、図１ａにおいて、記録紙は圧板２の上方かつ記録部３の後方にあるＡＳＦ（自動給紙）部に収納され、記録部３で印字された記録紙は本体前方の圧板２の上に排紙される。記録紙は記録部挿入口・排紙口ともにユーザーに近い圧板上にあるため、ユーザーは記録紙のセット、取り出しが容易になっている。圧板２上にはトレイ形状が形成されており、圧板２が排紙トレイを兼ねる構造となっている。これによって部品点数が削減され、組み立て性が向上しているため、部品コスト、組み立てコストなどを抑えることができる。
【００２３】
また、図１ｂのように圧板２を開閉するにあたっては、圧板２と読取部１には図１ｃのように転がり接触している部分があり、記録部３は圧板２の開閉に応じて上方向に移動するように構成されているので、ユーザーは圧板２を開くときに予め記録部３を上に移動させておくなどの動作をする必要はない。
【００２４】
この機構に関しては、例えばバネ等の適宜の手段を用いて記録部３を上方向に付勢しておき、圧板が閉まっている場合はロックなどで付勢力を相殺し、圧板２がある程度まで持ち上げられたときにはロックが外れ、記録部が付勢力で上方向に持ち上げられるように構成しておけば、圧板を開いたときには記録部は圧板の動きに干渉しない位置まで移動し、圧板の操作に影響しないような仕様にすることも可能である。
【００２５】
また、これらの機能を開閉センサとモータを用いて、開閉センサが圧板２の開閉を検知すると電気制御部からモータに指令が出されて、モータの力で記録部が上に移動するよう構成してもよい。
【００２６】
さて、本実施例の読取記録装置は、電気的に動作させるための電気基板のうち、少なくとも電源部や電話のモジュラージャックを含んだ基板、及びハンドセット８からの音声信号を入力する基板が読取部１の非可動部である本体側にレイアウトされている。
【００２７】
図１ｄ（比較例１）に示すような、可動部に装置外部と接続する電源のケーブルや電話のモジュラーケーブル等のケーブル類４２、ハンドセットのカールコード４３などを接続した場合と比べると、図１ｂのようにケーブル類９、カールコード１０などが圧板２の開閉や記録部３の移動に影響を及ぼすことが無く、逆に圧板２の開閉、記録部３の移動などによってこれらのケーブルが本体や接続先から引き抜かれてしまうこともない。また、動作の衝撃による基板上の部品に対するダメージも抑えることができる。
【００２８】
本実施例における読取記録装置の記録部３はインクジェット方式のプリンタとなっている。記録部の説明を以下に示す。
【００２９】
図３ａにおいて、矢印Ｓは記録紙の搬送方向をあらわす。１１はＡＳＦ部１２にセットされた記録紙の後端が垂れ下がらないように支持するために、記録部本体に着脱可能に設けられ記録部本体に収納可能な記録紙積載トレイである。４４は記録紙を装置本体に挿入・積載するための開口部（記録紙挿入口）である。給紙板１４はその支点ａを中心に上下回動可能に構成されており、その上面において複数枚の記録紙が積載載置されるようにしている。押圧バネ１５は、この給紙板１４を上方へ加圧・回動させるためのものであり、この給紙板１４は初期状態においては押圧バネ１５の押圧力に抗して下方で保持されている。図１ａに示した記録紙幅スライダーは、記録紙幅方向にスライドすることが可能で、記録紙の幅方向の動きを規制するように設けられている。また、前記のように複数部がセットされる記録紙を一枚ごとに搬送するために記録紙のピックアップローラ１７と記録紙を１枚ずつ分離する分離シート２５と、１枚ずつ分離給送された記録紙の先端を検知するセンサ（不図示）が設けられている。
【００３０】
記録紙にインクを吐出し画像を記録する記録部本体に対して着脱可能なインクカートリッジ１８は、記録紙１３の幅方向に往復動作する際にガイドシャフト１９によりガイドされる。不図示の駆動源で回転駆動される給送ローラ２０には、不図示のバネによりこの給送ローラ２０に圧接して給送ローラ２０に従動するピンチコロ２１が設けられており、さらに拍車２２と、この拍車２２に圧接する排紙ローラ２３とが図示のように夫々設けられている。
【００３１】
記録動作は以下のように行われる。
以上の構成において、記録を開始する信号が送られると、不図示の記録紙搬送モータが回転され、給紙板１４の保持状態を解除してＡＳＦ１２に積載されている記録紙先端を上方へ持ち上げると共に、ピックアップローラ１７を時計方向に回転させる。この結果、給紙板１４に積載された記録紙の上層部はピックアップローラ１７に接して矢印Ｓの方向に搬送され、分離シート２５により下層の記録紙が堰きとめられたまま最上部の記録紙が１枚ずつ分離されて、印字位置へと搬送される。１枚に分離された記録紙先端はセンサにより検知された後、所定ステップ数モータが回転され、記録紙１３が給送ローラ２０とピンチコロ２１のニップ部で挟持されインクカートリッジ１８の下の印字位置まで記録紙先端が搬送されて一旦停止する。そして、このとき給紙板１４は初期状態で保持される待機状態となる。
【００３２】
次に、インクカートリッジ１８を不図示のモータで駆動し記録紙１３の幅方向に一回往復させて、印字位置まで搬送された記録紙１３にインクを吐出させて画像を記録する。インクカートリッジ１８には記録紙搬送方向に数ライン分のインク吐出ノズル２７が設けられており、インクカートリッジ１８の１回分の往復で数ライン分の画像を記録する。インクカートリッジ１８が１往復分動作終了すると、記録紙搬送モータを回転させて記録紙１３をインクカートリッジ１８の１往復で記録したライン数分搬送して、次の画像データを新たに記録する。以下、インクカートリッジ１８の往復動作と記録紙１３の搬送動作を順次繰り返して記録紙１３に画像を記録する。このようにして、１ページ分の画像データの印字が終了するか、またはセンサが記録紙１３の後端を検知して所定ステップ数記録紙を搬送したところで、記録紙後端が印字位置にくると記録紙１ページ分の記録動作を終了し、記録部の前面の下方に設けられた排出口から排出し一連の動作を終了する。次ページの画像データがあれば、前記の一連の動作を繰り返し、記録を行う。
【００３３】
インクジェット方式の記録ヘッドには極めて微細なノズルが多数存在し、このノズルからインクを吐出させて記録を行う方式のため、乾燥して固化したインクなどがノズル内で目詰まりを起こすことがある。目詰まりが発生した場合、ノズル内の不要物を除去するために、記録ヘッドの回復動作を行わなければならない。
【００３４】
回復動作を図３ｂにより説明する。
まず、記録ヘッドを搭載したインクカートリッジ１８を記録紙幅の外の回復機構系まで移動させた後、キャップ部材２６を記録ヘッドの吐出ノズル２７に当接、密着させる。次に、図示しないポンプ機構によってキャップ部材２６と吐出ノズル２７の間に負圧を発生させ、インクを吸引して析出物や固形物等をインクとともに吐出ノズル２７から排出し、不図示の廃液タンクやインク吸収体内に収める。次にキャップ部材を離間させ、ゴムワイパ４５を当接させてヘッド表面をワイピングして回復動作を終了する。
【００３５】
図８に示すように、インクジェット方式のプリンタには、記録紙を搬送するための駆動系２８の幅と、記録紙幅２９と、インク吐出ヘッドを清掃する回復系の幅３０が必要になるため、記録紙幅２９よりもプリンタの幅が大きくなってしまう。インクジェット方式に限らず、一方から記録紙を挿入し、記録紙挿入口のほぼ反対側から排紙する通紙パスを持つプリンタは、少なくとも通紙幅以上のプリンタ幅が必要になり、通紙方向、記録紙法線方向のサイズはある程度まで小さくすることができても、記録紙短手方向の長さ＋機構部の幅は残ってしまう。
【００３６】
次に読取部の説明をする。読取部はフラットベッド型のスキャナとなっている。図４は、原稿をセットする読取部の斜視図で、原稿を裏向きにセットするガラス３１に、突き当て白基準３２がガラス３１の上面から貼り付けてある。突き当て白基準３２は、原稿の端部の突き当て部となると同時にガラスを３１通して裏側からの読み取りの絶対白基準となる役割がある。ガラス３１はカバー３３により上から押えられている。原稿の浮きを押える圧板２と、スポンジと白色シートで構成されている圧板白シート２４がヒンジ４６を介して取り付けられている。図５は図４からガラス３１、カバー３３を外した状態で、読取部の内部構造がわかるようにしたものである。これらの内部部品はすべてスキャナフレーム３４に取り付けられている。画像を読み取るコンタクトセンサー（以下、ＣＩＳ）３５を保持しているＣＩＳホルダー３６が、軸３７の上をガイドされて動くようになっている。また、ＣＩＳホルダー３６はモータ３８を動力として、駆動ギア部３９で減速され、タイミングベルト４０を介して駆動されている。タイミングベルト４０は駆動ギア部３９の対向部のプーリー４１に掛けられている。これらの動作について説明すると、コピーやＦＡＸ送信動作の時に、ＣＩＳ３５とＣＩＳホルダー３６が、矢印Ａの方向に駆動され、ガラス３１を介して原稿を読み取る。
【００３７】
フラットベッド型の画像読取装置は、ＣＩＳなどのセンサから光を当てて、原稿が反射した光を読み取る機構になっているため、光を透過することが可能で原稿サイズよりも大きな板状の部材と、この部材を固定する枠体が必要になる。このため、読取部の大きさは、原稿の法線方向の大きさはある程度まで小さくすることは可能であるが、（原稿の長手方向の長さ＋機構部）×（原稿の短手方向長さ＋機構部）のサイズは残ってしまう。
【００３８】
すなわち、各々最小限までサイズを小さくした場合、記録部は記録紙短手幅＋機構部、読取部は原稿長手幅＋機構部の長さが必要となる。
【００３９】
本実施例では図９ａのように記録紙の長手方向と原稿の長手方向が直交する形で配置されている。すなわち小型化した記録部、読取部において、各々最も長くなる部分を重ね合わせた形である。前記構成にすることによって、図９ｂ（比較例２）のように最も長くなる部分を重ね合わせずに直交させた場合に比べて、装置全体としての大きさを抑えることができる。
【００４０】
以上説明したように、本実施例によれば、操作性が高く、記録画像の劣化が少なく、かつサイズダウン・コストダウン及び、設置時・使用時に必要な空間が狭くてすむ画像読取記録装置を提供することができる。
【実施例２】
【００４１】
図６ａは、実施例２である“読取記録装置を有するファクシミリ装置”の斜視図である。
【００４２】
読取部５０の上にインクジェット方式の記録部５２があり、読取部５０の圧板５３は、読取部本体５１とリンク機構５４で連結されている。また読取部５０の圧板５３と記録部５２が一体的に固定されている。これによって、圧板５３を閉じたときにはその下に挟んだ原稿を記録部５２の重さで原稿台のガラスに押し付け、ユーザーが原稿を抑えるのに必要な力を軽減している。
【００４３】
また、図６ｂ、図７ａに示すように、圧板５３は前記リンク機構５４によって、読取部本体５１と常に平行な状態で開閉することが可能になっている。記録部５２は圧板５３と一体的に移動するように圧板に固定され、また、実施例１と同様、操作部５５は記録部５２の上に位置しているため、操作部５５は初期状態を操作しやすい角度に設定してやれば、常にこの角度を保つことができる。また、ケーブルやコード類を接続する電気基板は可動部ではない読取部本体５１内部に配置され、ハンドセット５７は非可動部上にセットできるよう構成されている。
【００４４】
また、実施例１と同様、記録紙は圧板５３上方かつ記録部５２後方に収納され、記録部５２で印字された記録紙は本体前方の圧板５３の上に排紙され、圧板５３上にはトレイ形状６２が形成されており、圧板５３が排紙トレイを兼ねる構造となっている。さらに、記録紙と原稿の長手方向が直交するようにセットされる構成となっているのも実施例１と同様である。
【００４５】
実施例２のリンク機構５４は、図７ａのように本体手前側のリンク部材５８にあけられた穴５９は丸穴ではなく長穴形状である。圧板５３がリンク部材５８で支えられた状態では、リンク機構５４の圧板側の軸６０がリンク部材５８の長穴５９の下限部に位置し読取部本体５１と圧板５３の角度は平行をなしているが、前記軸６０と前記長穴５９は上方向に若干の遊びがあるため圧板５３をさらに上に持ち上げることができ、リンク機構によって開閉できる限界よりもさらに厚い原稿を原稿台に載置することができる。
【００４６】
図２において、２ａ、２ｇはそれぞれ従来例と実施例２の圧板を閉じた状態、２ｂ、２ｈは開いた状態である。２ｇ、２ｈに示すように、記録部５２は読取部５０の上部から上方向に平行移動する。これにより十分な圧板開き高さを確保しながら、設置高さの抑制が可能になる。
【００４７】
また、２ｃ、２ｉはそれぞれ従来例、実施例２においてインクなどの消耗品の交換、記録紙のジャム処理のために記録部を開放した状態である。従来例では２ｃのように読取部が記録部の上にある場合には読取部を上に移動させる必要があるので、読取部を開放するためには、記録部＋読取部＋読取部の移動高さが必要になる。これに比べて本実施例２である２ｉのように記録部が読取部の上にある場合の記録部の開閉に必要な高さは、読取部＋記録部＋記録部の蓋の開閉高さとなるので、読取部自体よりも蓋を小さく構成できる場合には設置高さを従来例より抑えることができる。
【００４８】
読取部５０および記録部５２の詳細構成は、実施例１と同様なので、実施例１の説明を援用する。
【００４９】
以上説明したように、本実施例によっても実施例１と同様に、操作性が高く、記録画像の劣化が少なく、かつサイズダウン・コストダウン及び、設置時・使用時に必要な空間が狭くてすむ画像読取記録装置を提供することができる。
【図面の簡単な説明】
【００５０】
【図１ａ】実施例１である“読取記録装置を有するファクシミリ装置”の斜視図（圧板閉時）
【図１ｂ】実施例１である“読取記録装置を有するファクシミリ装置”の斜視図（圧板開時）
【図１ｃ】図１ｂの一部を拡大して示す図
【図１ｄ】比較例１の斜視図
【図２】従来例、実施例１及び実施例２における、カートリッジ交換、圧板開閉時の側面図
【図３ａ】記録部の構成を示す断面図
【図３ｂ】記録部の構成を示す断面図
【図４】読取部の外観を示す斜視図
【図５】読取部の内部構造を示す図
【図６ａ】実施例２である“読取記録装置を有するファクシミリ装置”の斜視図（圧板閉時）
【図６ｂ】実施例２である“読取記録装置を有するファクシミリ装置”の斜視図（圧板開時）
【図７ａ】リンク部材の説明図
【図７ｂ】リンク部材の説明図（図７ａの状態からさらに圧板を開いた状態）
【図８】実施例１、実施例２の記録部の説明図
【図９ａ】実施例１、実施例２の上面図
【図９ｂ】比較例２の上面図
【符号の説明】
【００５１】
１    読取部本体
２    圧板
３    記録部
【図１ａ】
2006135736.tif 000003
【図１ｂ】
2006135736.tif 000004
【図１ｃ】
2006135736.tif 000005
【図１ｄ】
2006135736.tif 000006
【図２】
2006135736.tif 000007
【図３ａ】
2006135736.tif 000008
【図３ｂ】
2006135736.tif 000009
【図４】
2006135736.tif 000010
【図５】
2006135736.tif 000011
【図６ａ】
2006135736.tif 000012
【図６ｂ】
2006135736.tif 000013
【図７ａ】
2006135736.tif 000014
【図７ｂ】
2006135736.tif 000015
【図８】
2006135736.tif 000016
【図９ａ】
2006135736.tif 000017
【図９ｂ】
2006135736.tif 000018